(57)【特許請求の範囲】
【請求項１】
パソコンから印刷すべき画像データをサーマルヘッドに転送し、このサーマルヘッドで感熱孔版原紙に画像形成された感熱孔版原紙である孔版を輪転式孔版印刷機の金属製版胴に巻き付け、孔版と圧胴との間に段ボールを長手方向に沿って通過、即ち縦通しさせて所定の位置に孔版の画像を印刷する段ボール用孔版印刷方法において、
前記版胴と孔版との中間に緩衝層を設け、版胴内部よりインキを胴表面に供給し、この供給されたインキを緩衝層内部を通過させて孔版に供給し、
かつ、前記孔版に複数の画像が形成され、
段ボールの印刷機内搬送過程において、圧胴が版胴方向へ向かって上昇し版胴と圧胴とが段ボールを挟んで圧接し且つ回転して段ボールへ印刷する圧接時間と圧胴が下降して版胴の段ボールへの圧接を解除し且つ版胴を次の印刷位置にスタンバイさせる離脱時間とを交互に繰り返す工程と、
前記圧接時間を少なくとも２回繰り返して、前記１回の圧接時間に孔版に形成された複数画像のうち一部の画像を１枚の段ボールに印刷する工程とを備えたことを特徴とする段ボール用孔版印刷方法。
【請求項２】
段ボールの先端から印刷する個々の画像エリア先端までの距離及び搬送方向における画像エリアの長さの入力情報に基づいて給紙手段の駆動と圧胴の上下動の駆動の動作タイミングを自動的に算出して設定できる制御手段を有することを特徴とする請求項１に記載の段ボール用孔版印刷方法。
【請求項３】
前記版胴の回転と段ボールの搬送とは別系統の駆動手段で行われ、段ボールの長手方向の側面に段ボールの短手方向の位置合わせ手段を設けたことを特徴とする請求項１又は２に記載の段ボール用孔版印刷方法。
【請求項４】
前記位置合わせ手段は、段ボールの短手方向に自在にスライドするガイド板であることを特徴とする請求項３に記載の段ボール用孔版印刷方法。
【請求項５】
前記離脱時間中には、版胴の回転を停止するか、次の画像の印刷に備えた位置まで回動してスタンバイ状態になるようにしたことを特徴とする請求項２又は３に記載の段ボール用孔版印刷方法。
【請求項６】
前記版胴内部を複数室に分割し、各室に色の異なるインキを収容して多色刷りすることを特徴とする請求項１ないし５のいずれか１項に記載の段ボール用孔版印刷方法。
【発明の詳細な説明】
【技術分野】
【０００１】
本発明は、孔版印刷機で段ボールに印刷する方法に関する。
【背景技術】
【０００２】
従来、段ボール印刷用のゴム版は、金属板を腐食して原版を製造し、これからプラスチックなどの母型を製造し、さらに母型版にゴムを流し込んで加圧することにより、又は熟練者による加硫ゴムシートからの手彫りにより造られてきた。しかし、この場合多くの工程を要するため経費や時間がかかりすぎる上に、得られたゴム版自体の精度が悪いため、使用に際しては裏削りを必要とするなどの問題を有していた。この問題を解決するために、近年になって感光性エラストマー組成物を用いて段ボール印刷用版を製造する方法、いわゆるフレキソ用感光性樹脂版が段ボール印刷の主流になってきた。例えば、常温で液体または板状の感光性エラストマー組成物とその支持体を含む構成体を画像露光、現像、等の工程順にしたがって処理して得られる段ボール用感光性樹脂版が開発された（特許文献１参照）。
【０００３】
フレキソ印刷は、版は凸版で反発弾性の優れたゴム、樹脂が使用され、主として水性インキを版の画像部である凸部に転移させ、被印刷体である段ボールシートに直接印刷する方式を採用している。そして、版胴は段ボールシートの長手（長辺）方向に沿って配置され、段ボールシートは、短手（短辺）方向に進行し、版胴の１回転で段ボールシートの複数個所に印刷してしまうものである。そのため、このフレキソ印刷方式は、大量生産には非常に適したもので大量消費、大量生産時代に発展、進化したものである。しかし、最大の欠点は、現在、市場が要望している少ロット印刷に不向きということである。それは、（イ）段ボールの印刷用版の準備に時間がかかる、（ロ）版価格が高い、という点である。
【０００４】
大量生産時代には、製版にかかる時間は、あまり問題視されていなかった。それよりも、大量印刷に耐えうる耐刷力が版材に要求されその結果、現在の版は何万から何百万という高耐刷力性能を保持している。現在の製版に要する時間は少なくても、２時間から３時間、その後貼りこみ工程に１時間、計３時間以上が必要である。その上、製版業務は外注方式が中心である。そして原材料も高いことから版価格は高価なものになっている。段ボールケースの発注は、必要に応じ、必要量発注される形態から、段ボール会社は受注量分のみ段ボールケースを印刷、納品している。リピートがある前提上、使用する版は保管せざるを得ない。段ボールケースの受注の都度、版置場から印刷現場に持ち出されている。その為、版を保管するための広い版置場が存在し、その版は段ボールに詰める「その商品」がある限り、長時間（何年も）に亘り保管されているのが現状である。しかし、版は自然界の紫外線等で経時変化が生じ劣化する。その為、版の物性面から弾力性、反発弾性等が損われ、版硬度に変化が生じ、版欠け現象、印刷不良という現象が、多々発生している。以上のような状況下で、近年の少ロット、多品種時代には、その製版時間、デリバリー及び製版コストが無視できない状況になっている。
【０００５】
フレキソ印刷に代わる印刷方法として、孔版印刷を採用する試みがなされている。孔版印刷装置はデジタル製版方式を採用して製版・印刷一体型になることで大きく操作性が向上するとともに、即応性が高いので簡単に所望の画像を緊急でも高速で印刷することができる。しかしながら、その対象とする印刷エリアはＡ３サイズ以下の大きさに限られているのが現状である。一般に市場に出ているデジタル式孔版印刷装置の最大通紙サイズはＡ３サイズ程度であり、印刷画像サイズもＡ３サイズである。従ってこれよりも大きいサイズの用紙への印刷ニーズがあってもそれに対応することはできなかった。従来、印刷ドラムの大きさが、通紙できる用紙の最大寸法を決めていた。すなわち、通紙できる用紙の幅寸法ｂ１は印刷ドラムの軸方向（軸線方向）の長さｂ２以下であり、通紙できる用紙の搬送方向の長さｅ１は印刷ドラムの外周長さｅ２よりも小さくなければならなかった。すなわち、最大用紙幅ｂ１≦ｂ２であり、最大用紙長ｅ１≦ｅ２であった。そして大きいサイズの用紙の一例として、段ボールがあり、印刷画像面積も大きくなってしまうものであった。単純に大きな画像面積を実現できる印刷装置を作ろうとすれば、印刷ドラムが専用サイズで大きくなってしまい、製版・給版装置もそれに応じて大きな専用サイズのものを作る必要があり、装置全体も非常に大きくて高価なものとなってしまう。
【０００６】
そこで、限られた領域の画像面積を有する安価な印刷装置を有効活用して、その画像面積よりも十分に大きな段ボール等の大版用紙にも印刷ができる印刷装置及び印刷方法の提供を、その目的とし、小さな印刷部を有する安価でコンパクトな印刷装置によって大版用紙への印刷を可能にしようとするものが開発された。（特許文献２参照）。
【０００７】
特許文献２に開示されたものは、印刷ドラムの外周面に製版された印刷用版を巻装し、上記印刷ドラムに押圧手段により用紙を押圧して印刷を行う印刷方法において、上記用紙の給紙動作が上記印刷ドラムの複数回転につき１回の割合で行われるようにするとともに、上記印刷ドラムの複数回転のうちいずれかの１回転に対応したときのみ上記押圧手段による押圧動作が行われるようにし、搬送方向の長さが上記印刷ドラムの外周長よりも大きな大判用紙の該搬送方向における特定領域に印刷を行うこととしたものである。この従来例によれば、孔版印刷装置の印圧はオフセット印刷機に比べればはるかに小さいので段ボール等の低印圧を要する用紙への印刷も可能であり、しかも孔版印刷装置は安価であり、画像品質が高く、フレキソ印刷よりも高精度の印刷も可能である。また、小ロットの緊急性の高い印刷時には２回通しや３回通しをやっても、製版が簡単で速いためにフレキソ印刷に比べて短時間で印刷を終了できる。加えて、段ボール等の印刷では、展開サイズに対して印刷エリアはその全域になることは少なく、限られた領域であることが殆どである。従来の孔版印刷装置等の印刷ドラムや及び製版・給版装置等を共通で利用でき、しかしながら大きなサイズの用紙を搬送してそこに印刷できるようにすれば、大判用紙対応の印刷装置を安価に実現できる、というものである。
【先行技術文献】
【特許文献】
【０００８】
【特許文献１】特開平６−８３０４４号公報
【特許文献２】特開２００３−３４１２１２号公報
【発明の概要】
【発明が解決しようとする課題】
【０００９】
特許文献２に記載の従来例では、長尺用紙である段ボールの任意の個所に印刷することができるが、ひとつの版で多面に印刷することは予期しておらず、印刷装置も簡易な構造でより安価にするには、未だ十分なものではなかった。
【００１０】
そこで、本発明は、製版コストも安く、印刷装置も安価なものとし、ひとつの版で、その画像面積よりも大きな段ボールに多面印刷が可能であり、作業性も向上した段ボール用孔版印刷方法を提供することを目的とする。
【課題を解決するための手段】
【００１１】
上述の目的を達成するため、本発明は、パソコンから印刷すべき画像データをサーマルヘッドに転送し、このサーマルヘッドで感熱孔版原紙に画像形成された感熱孔版原紙である孔版を輪転式孔版印刷機の金属製版胴に巻き付け、孔版と圧胴との間に段ボールを長手方向に沿って通過、即ち縦通しさせて所定の位置に孔版の画像を印刷する段ボール用孔版印刷方法において、段ボールの印刷機内搬送過程において、圧胴が版胴方向へ向かって上昇し版胴と圧胴とが段ボールを挟んで圧接し且つ回転して段ボールへ印刷する圧接時間と圧胴が下降して版胴の段ボールへの圧接を解除し且つ版胴を次の印刷位置にスタンバイさせる離脱時間とを交互に繰り返す工程と、前記圧接時間を少なくとも２回繰り返して孔版の全画像又は／及び一部画像を１枚の段ボールに印刷する工程とを備えたものである。そして、制御手段としては、段ボールの先端から印刷する個々の画像エリア先端までの距離及び搬送方向における画像エリアの長さの入力情報に基づいて給紙手段の駆動と圧胴の上下動の駆動の動作タイミングを自動的に算出して設定できるものを採用した。
【発明の効果】
【００１２】
本発明は、パソコンから印刷すべき画像データをサーマルヘッドに転送し、このサーマルヘッドで感熱孔版原紙に画像形成された感熱孔版原紙である孔版を輪転式孔版印刷機の金属製版胴に巻き付け、孔版と圧胴との間に段ボールを長手方向に沿って通過、即ち縦通しさせて所定の位置に孔版の画像を印刷する段ボール用孔版印刷方法において、段ボールの印刷機内搬送過程において、圧胴が版胴方向へ向かって上昇し版胴と圧胴とが段ボールを挟んで圧接し且つ回転して段ボールへ印刷する圧接時間と圧胴が下降して版胴の段ボールへの圧接を解除し且つ版胴を次の印刷位置にスタンバイさせる離脱時間とを交互に繰り返す工程と、前記圧接時間を少なくとも２回繰り返して孔版の全画像又は／及び一部画像を１枚の段ボールに印刷する工程とを備えたものであるので、孔版をサーマルヘッドにより短時間且つ低コストで製作することができ、段ボールの少なくとも２面に印刷することができる。また、版胴の全周と回転速度に合わせて段ボール印刷個所を計算しなくとも、制御手段により、段ボールの印刷位置を検知したなら、回転停止状態の版胴を段ボールに圧接してやれば、画像の印刷開始個所から終了個所まで版胴が回転して正確に印刷することができる。
【図面の簡単な説明】
【００１３】
【図１】全体を示す正面略図
【図２】平面略図
【図３】段ボール送り時の正面略図
【図４】段ボール印刷時の正面略図
【図５】印刷時の詳細断面図
【図６】印圧アーム部の詳細図
【図７】２面印刷例を示す平面図
【図８】４面印刷例を示す平面図
【図９】版胴の空白部と圧胴とが対向し、孔版に３つの画像が形成された状態の正面図
【図１０】版胴の断面略図
【図１１】制御手段による制御を説明する図
【図１２】複数の画像を有する孔版で全画像を印刷する例を示す説明図
【図１３】複数の画像のうち任意の画像を印刷する例を示す説明図
【発明を実施するための形態】
【００１４】
以下に、本発明の好適な実施形態について、図面を参照して説明する。
【００１５】
図１の全体の概略を示す正面図において、感熱孔版原紙１Ａである孔版１を版胴２に巻き付け、孔版１と圧胴３との間に段ボール（展開された大略長方形状のもの）４をその長手方向に沿って通過させ、段ボール４の通過時の所望の位置で段ボール４に孔版１の画像を印刷するようになっている。そして、パソコン５から印刷すべき画像データをサーマルヘッド６に転送し、このサーマルヘッド６の発熱素子が選択的に発熱することにより感熱孔版原紙１Ａが穿孔製版されて画像を形成し、この画像形成された孔版１を版胴２に巻き付ける。版胴２の外周面に図示しないクランプ手段を設け、このクランプ手段に孔版１の先端部がクランプされ、版胴２の回転に伴って版胴２の外周に孔版１が巻き付けられ、図示しないカッタで所定の長さに切断される。パソコン５に取り込む手段は、版下等の画像はＣＣＤスキャナ７で取り込む。この実施形態では、版胴２の近傍に、印刷が終了した孔版１を排板ボックス８に自動的に回収する機構を設けてある。
【００１６】
ＣＣＤスキャナ７で画像データを読み取り、画像処理ソフトを使用して段ボール４の展開図にデザインした画像データを画像部のみ直接、感熱孔版原紙１Ａに出力して、画像が形成された孔版１を製作する。そのため、製版時間もきわめて短くなり（秒単位）、低コストで製作することができ、小ロットの段ボール印刷の短納期対応に迅速に応じられる。また、感熱孔版原紙１Ａを使用することで、孔版１の廃棄も容易となり、環境に悪影響を与えない。
【００１７】
印刷前の段ボール４は、給紙部９から版胴２と圧胴３との間に、図１ないし図３に示す給紙ロール１０によって送り込まれる。この給紙のコントロールは、第１センサ１６で段ボール４を検知し、給紙ロールモータ８を作動させ、給紙ロール１０を回転駆動する。この段ボール４の送り込み前に、段ボール４の短手方向の位置合わせ手段１１を設けてある。この手段１１として、図２に示すように、段ボール４の短手方向に自在にスライドするガイド板を設けた。図２において、スライドするガイド板（位置合わせ手段１１）は、段ボール４の上下端に当接し、図面上、上下の矢印方向にスライドする。例えば、サイズの異なる段ボール４に同じ画像を印刷する場合、このガイド板で段ボール４の位置を調整することにより、大小のサイズの段ボール４に画像を印刷することができる。
【００１８】
図２において、段ボール４の短辺方向の印刷個所に合わせるため、位置合わせ手段１１で段ボール４の位置合わせを図る。前記排紙ロール１３には、印刷された個所に接触しない複数のローラ１３Ａ，１３Ｂ（段ボール４には接触する）を設けてあり、このローラ１３Ａ、１３Ｂは、排紙ロール１３の軸上で軸方向にスライド可能に設けてあり、印刷位置の変更に応じてスライドさせる。図１に示した第２センサ１７で段ボール４が版胴２まで送られてきたことを検知すると、排紙ロールモータ１９が作動し、排紙ロール１３を回転駆動する。
【００１９】
段ボール４には主として下記の項目が印刷される。すなわち、社名、住所、電話番号、ファックス、メールアドレス、商品名、写真、入り量（数量）、サイズ、製造年月日、ロットＮｏ、商品コード（バーコード）、ケアマーク、取り扱い方法、等である。本発明では、段ボール４の一面から全面に同一画像を印刷することもできるし、画像の一部を印刷することもでき、自由に選択できる分割印刷機能を持っている。このことについては後述する。
【００２０】
図３は、段ボール４の送り時の正面略図であり、版胴２をステンレス円筒で形成し、この円筒の全周面にインキ１４が通過し易いように等間隔で穴（図示せず）が開けられ、版胴２の内部からインキ１４が均一に版胴２の表面に供給され、供給されたインキ１４は緩衝層１５の内部に浸透する。この緩衝層１５は、表裏両面に、メッシュを貼り付けた不織布などから形成される。メッシュは、表裏いずれか片面であってもよい。緩衝層１５の厚さは、２〜２０ｍｍで、段ボール４の種類や形状に合わせて所定の厚さが選ばれる。段ボール４の印刷すべき個所が版胴２の下方まで送られる前は、上下一対の給紙ロール１０と上下一対の排紙ロール１３によって段ボール４が挟まれて移送されている。
【００２１】
前記緩衝層１５を構成する素材として、不織布の他に、ガラス系繊維含浸性素材、化学繊維含浸性素材、酢酸ビニール発泡含浸性素材、含浸性発泡ウレタン素材、多気泡ブランケット素材などが用いられる。また、スポンジゴム素材としては、ＮＲ系、ＣＲ系、ＥＰＤＭ系、ＮＢＲ系、ＳＩ系、ＣＲ系などの発泡体が好適に使用可能である。前記不織布として使用される天然素材としては、綿、羊毛、麻、パルプ、絹、鉱物繊維などがあり、化学繊維としては、レーヨン、ポリエステル、ポリオレフィン、ポリプロピレン、アクリル繊維、ビニロン、ナイロン、セルローズ、アラミド繊維などがあり、その他の繊維としては、ガラス繊維などがある。
【００２２】
前記孔版１としては、感熱孔版原紙１Ａが用いられ、その厚みは４０μｍ前後である。４０μｍ前後の厚さを持った孔版１と緩衝層１５とで、段ボール４の表面の凹凸に対して容易に順応することができる。孔版１として、感熱孔版原紙１Ａを用いる利点としては、製版装置はサーマル・プリンタのみで済むという点があげられる。それに比べて、現在のフレキソ用感光性樹脂版の製版装置として、フィルム製版設備（フィルムセッター式：現像機含む）、刷版設備（露光機、洗出機、乾燥機、溶剤回収器）、印版貼込設備を必要とする。そのため、本発明方式では、現在のフレキソ用感光性樹脂版に比べ、感熱孔版原紙を使用すると、製版時間が短くて済む。フレキソ印刷方式では、現在の製版時間は、約３時間を要していた。現在のフレキソ用感光性樹脂版方式の場合は、キャリアシートへの貼り込み工程が必要なのに比べ、本発明方式では不必要である。また、現在のフレキソ用感光性樹脂版に比べ、現像液が不要、廃液なしで環境的見地からも優れている。材料コストの観点から見ても低コスト化を実現できる。
【００２３】
前記円筒状の版胴２の表面に押し出されたインキ１４は緩衝層１５の表面のメッシュで異物をフィリタリングされ緩衝層１５の内部を通過し、もう一方のメッシュをインキ１４が均一に通過して孔版１の裏面に達するようになっている。スクリーンメッシュの線数は、１８〜５００メッシュで、段ボール用として特に１２０メッシュが適している。緩衝層１５を設ける目的は、印圧レンジの拡大であり、インキ量のコントロール機能である。図４は、圧胴３が上昇して段ボール４を版胴２と挟み、段ボール４の所定個所に印刷する状態を示し、インキ１４が緩衝層１、メッシュを通過し、孔版１に移り、孔版１によって段ボール４に印刷している状態である。このとき、給紙ロール１０も排紙ロール１３も作動せず、圧胴３が上昇し、版胴２が駆動モータ２１により回転する。
【００２４】
前記段ボール４の構造の一例として、表側のライナー４Ｂと裏側のライナー４Ｃとの内部に中芯４Ａを備えたものを図５に示し、圧胴３の回転軸（図示せず）が版胴２の回転軸２Ａに近づくように移動して、版胴２と圧胴３との間に段ボール４を挟圧する。狭圧された段ボール４は、緩衝層１５の存在により押しつぶされることなく、孔版シート１に密接し、この圧接時間により孔版シート１の画像が段ボール４に印刷される。
【００２５】
図６は、圧胴３の上下動を行うための印圧アーム部２０の一例を示し、圧胴３にＬ字型アーム２０Ａが回転自在に保持され、このアーム２０Ａは軸２０Ｂの周りに揺動可能に構成され、スプリング２０Ｃによってアーム２０Ａの先端が版胴２に向けて付勢されている。前記アーム２０Ａの揺動動作は、版胴２に同期して回転するカム２０Ｄとソレノイド２０Ｅによって制御されている。前記ソレノイド２０Ｅには、軸２０Ｆを中心に揺動するプレート２０Ｇを取付けてあり、このプレート２０Ｇの先端とアーム２０Ａの下端とが係脱可能に係合している。
【００２６】
図７は、段ボール４の２面（Ｌ１とＬ２）に印刷する場合を説明する図であり、圧胴３による印圧が加えられていない状態で、段ボール４が給紙部９から給紙ロール１０によって版胴２と圧胴３との間に送り込まれ、段ボール４が送られる先端Ｓ０を基準とし、印刷開始位置Ｓ１に送られてきたときに圧胴３を版胴２に圧接して版胴２を１回転させる。前記排紙ロール１３の版胴２が１回転してＦ１の位置にきたら、圧胴３を下げて印圧を解除し、さらに搬送されつつある段ボール４がＳ２の位置に到達したら、圧胴３と版胴２とで段ボール４を挟圧して印刷する。Ｆ２の位置で印刷を終了して、圧胴３を下げて版胴２を段ボール４から離し、段ボール４を排紙部１２へ送り込む。
【００２７】
段ボール４の先端Ｓ０から印刷する位置までの距離は、その長さ入力値に従い自動的に算出する。前記版胴２を回動させる駆動モータ２１に連動してカム２０Dが回転し、ソレノイド２０Eがオン／オフされ、印刷時には、図６の状態にあり、一面の印刷が終わるとカム２０Dが作動して圧胴３を下降させる。版胴２は、次の印刷面での印刷に備えて駆動モータ２１の制御によりスタンバイする位置までくる。段ボール４の次の印刷面が版胴２の下にくると、カム２０Dとソレノイド２０との働きにより圧胴３が上昇して印刷を開始する。
【００２８】
図８は、段ボール４の全面（４つのＬ１、Ｌ２、Ｗ１、Ｗ２）に印刷する場合を説明するものであり、版胴２と圧胴３とが４回圧接し、１回圧接する毎に版胴２は１回転する。この例では、印刷は、「Ｓ１−Ｆ１」、「Ｓ２−Ｆ２」、「Ｓ３−Ｆ３」、「Ｓ４−Ｆ４」の間で行われる。
又、図７において全面同一パターンの印刷だけではなく、例えば、ＬとＷを変える事も出来る。その方法は、印刷中の圧胴３の上下動の動きのタイミングを任意に調整することで円筒の軸方向に印刷画像を一部除去することが可能である。
【００２９】
図７及び図８では、孔版１は、版胴２の全周に巻き付けられず、空白部２Ｂを残し、この空白部２Ｂは、円筒の一部を軸方向に沿って切り欠いた平坦部を形成し、この空白部２Ｂには孔版１を咥え込む機構及びインキ注入口等の機構が設けてある。この空白部２Ｂが圧胴３と向き合う時は、図９に示すように、圧胴３は版胴２から離れた状態で、その部分への圧は段ボール４には加えられない。即ち、段ボール４への印刷が出来ない個所（空白部２Ｂ）を通過する時の版胴２と圧胴３の関係は、圧胴３が印刷位置に上昇していない為、当然、版胴３の孔版１の下に巻かれている緩衝層１５とも非接触である。
【００３０】
圧胴３が印刷時に上昇するタイミングは孔版１の先端から孔版１の最後尾までで、それ以外の圧胴３は最下位の位置に存在している。この空白部（平坦部）２Ｂには、インキ１４を入れる注入口など（図示せず）が形成される。版胴２の内部を複数室に分割し、各室に色の異なるインキを収容して多色刷りにすることも可能である。
【００３１】
多色刷りをする場合、例えば図１０に示すように、版胴２を輪切りに分割した状態で版胴２内部に設けた仕切板２Ａにより、それぞれの室に赤インキ、青インキ、黒インキを収容して三色刷りをすることができる。勿論、四色以上の多色刷りも可能である。色の境界線には、版胴２の内部からインキ１４が孔版１側に注入されないようにインキ注入穴は開けられていない。また、孔版１側にも隣のインキが流れ込むことのないようにシーリングされている。
【００３２】
段ボール４の所定個所への印刷の制御系の概要を図１１に従って説明する。圧胴３と版胴２の圧接時間と離脱時間は、制御手段２２により制御される。この制御手段２２は、ＣＰＵ、ＲＯＭ、ＲＡＭ、Ｉ／Ｏインタフェース等を含むマイクロコンピュータを意味する。制御手段２２には操作パネル２３を介して種々の条件が入力され、又、給紙テーブルに設けられた段ボール４の先端を検知する第１センサ１６等から検知情報が入力される。制御手段２２は種々の情報に基づいて、ステッピングモータである給紙・レジストローラ駆動モータ１８、同じくステッピングモータである排紙ローラ駆動モータ１９、版胴駆動モータ２１、印圧アーム部２０の圧胴カム等を制御する。段ボール４の先端からの個々の印刷開始する距離を算出して駆動モータ１８、１９、２１、を連動させる仕組みを備えている。
【００３３】
前記制御手段２２について、図７及び図８を参照してさらに説明すると、段ボール４の印刷機内搬送過程で、給紙ロール１０から搬送された段ボール４は第２センサ１７でその先端を読み取られ、その先端からS１の位置に達した時点に圧胴３は上昇、段ボール４が版胴２と接触S１、版胴２の回転により印刷、F１の時点で圧胴３が離脱、段ボール４は次の印刷位置S2まで前進、版胴３も次の印刷位置まで回転してスタンバイ、段ボール４及び版胴２がスタンバイできた時点、即ち印刷位置に達した時点で圧胴３が上昇、版胴２が回転して２回目の印刷を行い、F２の時点で圧胴３が離脱して次の印刷位置まで前進と交互に繰り返す。この時の段ボール４搬送は、段ボール４が印刷位置までは給紙ロール１０が担当する。印刷時は版胴２が担当する。非印刷時は、段ボール４が排紙ロール１３に到達するまでは給紙ロール１０が担当する。段ボール４が給紙ロール１０、排紙ロール１３に跨っている時点では両ロール１０、１３が担当する。給紙ロール１０から段ボール４が離れた時点から排紙ロール１３が担当する。また圧胴３は上部給紙ロール１０及び上部排紙ロール１３と連動して上昇し、版胴２が段ボール４に接圧して印刷搬送を行う。この時の各駆動、即ち版胴駆動、給紙・排紙駆動、及び圧胴３の上下作動は制御され、全画像及び一部画像を連続して同一段ボール４に印刷することができる。
【００３４】
先の図９に示す版胴２に取り付けた孔版１には、画像「Ａ」は３分割された最初のエリア１ａに形成され、画像「Ｂ」はエリア１ｂに形成され、画像「Ｃ」はエリア１ｃに形成されており、この孔版１を使用して、図１２では、画像「ＡＢＣ」全部を段ボール４の所望の面に印刷する場合を説明している。すなわち、図１２では、スタンバイ状態（Ｓ０）状態から版胴２を孔版１ｂの始端まで回動させ（版胴２に回転駆動手段を設けてある）、このとき圧胴３を上昇させて段ボール４を挟み（Ｓ１−Ａ）、段ボール４が送られることにより、Ｓ１−Ｂの位置で画像「Ａ」の印刷を終え、さらに段ボール４が送られることによりＳ１−Ｃの位置までくると画像「Ｂ」の印刷が終わる。さらに、段ボール４を送りＳ１−Ｃの位置で画像「Ｃ」の印刷が終了する。その後、非印刷部では圧胴３を下げて段ボール４を送り、次の印刷位置で図１１の「１」ないし「５」の工程を繰り返す。
【００３５】
次に、画像「ＡＢＣ」のうち任意の画像を任意の個所に印刷する方法を図１３を参照にして説明する。孔版１と版胴２は、図９に示すものを使用し、例えば「Ｂ」のみを印刷しようとする場合、圧胴３は、図面上版胴２がＳ２−Ｂの位置からＳ２−Ｂ終了の位置まで上昇し、他の位置では上昇しないように制御手段２２により制御されている。版胴２は、一定の速度で回転させられている。
【００３６】
上記「Ａ」としては、商品名、写真、商品コード、「Ｂ」としては、ケアマーク、数量、「Ｃ」としては、社名、住所等が画像として形成される。例えば、図８においてＳ１〜Ｆ１に「ＡＢＣ」、Ｓ２〜Ｆ２に「Ｂ」、Ｓ３〜Ｆ３に「ＡＢＣ」、Ｓ４〜Ｆ４に「Ｃ」を印刷することもできる。
【符号の説明】
【００３７】
１    孔版
１Ａ  感熱孔版原紙
２  版胴
３  圧胴
４  段ボール
５  パソコン
６  サーマルヘッド
２２  制御手段
【図１】
0005855991.tif 000002
【図２】
0005855991.tif 000003
【図３】
0005855991.tif 000004
【図４】
0005855991.tif 000005
【図５】
0005855991.tif 000006
【図６】
0005855991.tif 000007
【図７】
0005855991.tif 000008
【図８】
0005855991.tif 000009
【図９】
0005855991.tif 000010
【図１０】
0005855991.tif 000011
【図１１】
0005855991.tif 000012
【図１２】
0005855991.tif 000013
【図１３】
0005855991.tif 000014